(57)【要約】  本発明は，互いに嵌合連結可能な組立容器を提供するものである。本発明の組立容器（１００）は、容器外面に設けられる、上記容器（１００）同士を連結するための少なくとも一以上の凹部（１２０）を有する。そして、上記凹部（１２０）内に嵌合部を設け、上記凹部内の嵌合部同士が、取り外し自在に連結する連結具（２００）により組立容器（１００）を互いに連結する。連結具（２００）が組立容器（１００）の嵌合部に嵌合連結することで、組立容器（１００）同士が連結する。上記組立容器（１００）を連結する連結具（２００）は、組立容器（１００）外面に設けられる凹部同士を連結するための凸部を備える。そして、上記凸部により、上記凹部内に設けられる嵌合部同士を取り外し自在に連結できる。
2015151406.tif 000002
【特許請求の範囲】
【請求項１】
容器外面に設けられる、該容器同士を連結するための少なくとも一以上の凹部と、  前記凹部内に設けられる嵌合部と、  前記凹部内の嵌合部同士が、取り外し自在に連結することで、互いに嵌合連結可能な組立容器。
【請求項２】
組立容器外部に設けられる凹部同士を連結するための凸部を備え、  該凸部により、前記凹部内に設けられる嵌合部同士を取り外し自在に連結する連結具。
【請求項３】
前記連結具が、容器である、請求項２に記載の連結具。
【請求項４】
前記嵌合部が、ネジである、請求項１に記載の組立容器。
【請求項５】
前記連結具が、前記組立容器を連結するための複数の突起物を備え、  前記嵌合部が、該突起物を挿入するための嵌合穴である、請求項１に記載の組立容器。
【請求項６】
前記連結具が、嵌合穴を備え、  前記嵌合部が、前記組立容器を連結するための複数の突起物であり、  前記連結具に備えた嵌合穴に該突起物を挿入することで組み合わされる、請求項１に記載の組立容器。
【請求項７】
前記連結具が、溝部を備え、  前記嵌合部が、該連結具に備えた溝部に嵌合する嵌合凸溝部である、請求項１に記載の組立容器。
【請求項８】
請求項１または請求項４から７いずれか一項に記載の組立容器の凹部に備えた嵌合部に嵌合対応する形状と、  請求項２または３に記載の連結具の嵌合部の形状に嵌合対応する形状を備えた連結補助材
【請求項９】
前記容器内を照らすための照明具を該容器の凹部に配置した、請求項１または、請求項４から７いずれか一項に記載の組立容器。
【請求項１０】
照明具を備えた前記連結補助材を連結することにより、前記容器内を照らす、請求項９に記載の組立容器。
【請求項１１】
前記組立容器の凹部の嵌合部に嵌合する部材に係止部材を備え、  該係止部材により、前記組立容器が外部に係止される、請求項１、請求項３から７、または請求項９，１０に記載の組立容器。
【請求項１２】
前記容器の凹部に他の容器を連結する際、該凹部と他の容器が押し込まれることにより、容器同士の貫通孔が形成され、  容器内部の注入物が混ざりあう請求項１または請求項４から１０いずれか一項に記載の組立容器。
【請求項１３】
前記容器の強度を増す補強材を前記容器に備え、  建築資材または、家具資材として利用可能な、請求項１または請求項４から１０いずれか一項に記載の組立容器。
【請求項１４】
前記連結具が、建築資材または家具資材に組み合わせ可能であり、  建築資材または家具資材として利用可能な、請求項１または請求項４から１０いずれか一項に記載の組立容器。
【請求項１５】
請求項１から１４に記載の組立容器の情報、連結具の情報、及び、該組立容器を組み立てる際に必要な情報を利用者に提供する事で、該利用者が該組立容器の組立を仮想空間内でおこなうことが可能な組立容器操作装置。
【請求項１６】
請求項１５に記載の組立可能容器操作装置を複数備え、  異業種または、同業種間で前記容器、及び連結具の情報を共有することで、該組立容器の組立を仮想空間内でおこなうことが可能なＷＥＢシステム。
【請求項１７】
容器外面に設けられる、該容器同士を連結するための少なくとも一以上の凹部と、  前記凹部内に設けられる嵌合部と、  前記凹部内の嵌合部同士を連結するための連結具を備え、  前記連結具により互いに取り外し自在に連結される組み合わせ組立容器セット。
【請求項１８】
容器外面に設けられる、該容器同士を連結するための少なくとも一以上の凹部と、  前記凹部内に設けられる嵌合部と、  前記凹部内の嵌合部同士を連結するための連結具を備え、  前記連結具により互いに取り外し自在に連結される組み合わせ組立容器セットを用いた商品陳列販売方法。
【発明の詳細な説明】
【技術分野】
【０００１】  本発明は、連結容器及び、組立容器に関する。すなわち、容器として使用した後も、組立てることで装飾品として再利用出来る容器に関する。
【背景技術】
【０００２】  飲料容器のように、中身のなくなった容器本体は通常そのまま捨てられることになる。本発明は、再利用できる組立容器である。ここで、ブロックのように組み立てることのできる装飾具は知られている。例えば、下記特許文献１には、上記装飾具の一例としてブロック玩具が開示されている。
【先行技術文献】
【特許文献】
【０００３】
【特許文献１】特開２０１２―２２８５０４号公報
【発明の概要】
【発明が解決しようとする課題】
【０００４】  現在、ＰＥＴ（ポリエチレンテレフタラート）ボトルを例とする容器の違法廃棄が問題となっており、容器の再利用が進められている。しかしながら、ほとんどの再利用がＰＥＴボトル等を再度作成するためにペレットに粉砕する技術である。【０００５】  本発明においては、上記ブロック玩具のように容器本体同士が連結する組立装飾容器を提供することで、上記ＰＥＴボトルの違法廃棄を解決する。更に、展示販売の際にも、容器同士を連結した状態で展示することにより、ユーザの販売意欲を刺激し、販売促進につながることになる。【０００６】  上記特許文献に開示のブロック玩具は、結着手段により、対応する２つのブロック胴体の辺継ぎ部をそれぞれ同じ直線上につながった状態に維持する。ブロックの形状は全て等しくなるように形成される。しかしながら、上記容器は形状や材質が異なることが一般的である。一方。上記のように違法廃棄を解決するためには、形状、材質が同じ容器の他、形状や材質の異なる容器を連結する必要がある。本発明の目的は、異なる容器同士が連結可能な組立容器を提供することにある。
【課題を解決するための手段】
【０００７】  上記課題を解決するための本発明は、互いに嵌合連結可能な組立容器である。上記組立容器は、容器外面に設けられる、上記容器同士を連結するための少なくとも一以上の凹部を有する。そして、上記凹部内に嵌合部を設け、上記凹部内の嵌合部同士が、取り外し自在に連結することにより組立容器を互いに連結する。連結具が組立容器の嵌合部に嵌合連結することで、組立容器同士が連結する。上記組立容器を連結する連結具は、組立容器外部に設けられる凹部同士を連結するための凸部を備える。そして、上記凸部により、上記凹部内に設けられる嵌合部同士を取り外し自在に連結する。【０００８】  上記連結具は容器であると、組立容器と同様に内部に液体、粉体、固体等の収容物を収容することが可能となる。上記嵌合部はネジで構成することができる。上記連結具に、上記組立容器を連結するための複数の突起物を備え、上記嵌合部に上記突起物を挿入するための嵌合穴を形成することで、突起物が嵌合穴に嵌合することで、組立容器と連結具が連結する。若しくは上記連結具に嵌合穴を備える。そして、上記嵌合部が、上記組立容器を連結するための複数の突起物であり、上記連結具に備えた嵌合穴に該突起物を挿入することで組立容器を組合す。他の連結手段としては、連結具に溝部を備える。そして、上記嵌合部が、上記連結具に備えた溝部に嵌合する嵌合凸溝部であると、凹凸溝部が連結することで組立容器を連結する。【０００９】  組立容器の嵌合部と連結具が嵌合対応しない場合、連結補助材で連結することが出来る。すなわち、連結補助材は、組立容器の凹部に備えた嵌合部に嵌合対応する形状と、連結具の嵌合部の形状に嵌合対応する形状を備えている。組立容器の嵌合部に合う連結補助材を使うことで、様々な組立容器を組立てることが出来る。【００１０】  組立容器の内部をＬＥＤのような照明具で照らすことが出来る。すなわち、容器内を照らすための照明具を該容器の凹部に配置した組立容器を構成できる。若しくは、照明具を備えた連結補助材を連結することにより、組立容器内を照らすことが出来る。【００１１】  組立容器の凹部の嵌合部に嵌合する部材に係止部材を備え、上記係止部材により、上記組立容器を外部に係止することができる。フックやリングの様な係止部材を使用する。【００１２】  上記容器の凹部に他の容器を連結する際、該凹部と他の容器が押し込まれることにより、容器同士の貫通孔が形成され、容器内部の注入物が混ざりあう組立容器を構成することが出来る。【００１３】  組立容器の強度を増す補強材を前記容器に備えることで、建築資材または、家具資材として利用可能な組立容器が形成できる。上記そして、連結具が、建築資材または家具資材に組み合わせ可能であり、建築資材または家具資材として利用可能な組立容器が形成できる。【００１４】  上記課題を解決する本発明の組立容器操作装置は、上記組立容器の情報、連結具の情報、及び、該組立容器を組み立てる際に必要な情報を利用者に提供する事で、該利用者が該組立容器の組立を仮想空間内でおこなうことが可能な装置である。上記組立可能容器操作装置を複数備えて、異業種または、同業種間で上記容器、及び連結具の情報を共有することで、該組立容器の組立を仮��空間内でおこなうことが可能なＷＥＢシステムを構成することができる。【００１５】  更に、容器外面に設けられる、該容器同士を連結するための少なくとも一以上の凹部と、上記凹部内に設けられる嵌合部と、上記凹部内の嵌合部同士を連結するための連結具を備え、上記連結具により互いに取り外し自在に連結される組み合わせ組立容器セットを構成することができる。【００１６】  更に、容器外面に設けられる、該容器同士を連結するための少なくとも一以上の凹部と、上記凹部内に設けられる嵌合部と、上記凹部内の嵌合部同士を連結するための連結具を備え、上記連結具により互いに取り外し自在に連結される組み合わせ組立容器セットを用いた商品陳列販売方法を構成することができる。
【発明の効果】
【００１７】  本発明は、互いに嵌合連結可能な組立容器である。上記組立容器は、容器外面に設けられる、上記容器同士を連結するための少なくとも一以上の凹部を有する。そして、上記凹部内に嵌合部を設け、上記凹部内の嵌合部同士が、取り外し自在に連結する連結具により組立容器を互いに連結する。連結具が組立容器の嵌合部に嵌合連結することで、組立容器同士が連結する。上記組立容器を連結する連結具は、組立容器外部に設けられる凹部同士を連結するための凸部を備える。そして、上記凸部により、上記凹部内に設けられる嵌合部同士を取り外し自在に連結できる。これにより、上記ＰＥＴボトルの違法廃棄を解決する。更に、展示販売の際にも、容器同士を連結した状態で展示することにより、ユーザの販売意欲を刺激し、販売促進につながることになる。
【図面の簡単な説明】
【００１８】
【図１】本発明の実施形態に係る組立容器を組立てる場合の全体構成を示す斜視図である。
【図２】本発明の実施形態に係る組立容器の全体構成を示す正面図である。
【図３】本発明の実施形態に係る組立容器セットの全体構成を示す断面図である。
【図４】本発明の実施形態に係る組立容器セットの全体構成を示す断面図である。
【図５】本発明の実施形態に係る組立容器セットの全体構成を示す斜視図である。
【図６】本発明の実施形態に係る組立容器セットの全体構成を示す斜視図である。
【図７】本発明の実施形態に係る組立容器の全体構成を示す斜視図である。
【図８】本発明の実施形態に係る組立容器の全体構成を示す斜視図である。
【図９】本発明の実施形態に係る組立容器の全体構成を示す側面図である。
【図１０】本発明の実施形態に係る組立容器の全体構成を示す斜視図である。
【図１１】本発明の実施形態に係る組立容器の全体構成を示す斜視図である。
【図１２】本発明の実施形態に係る組立容器の全体構成を示す斜視図である。
【図１３】本発明の実施形態に係る組立容器の全体構成を示す正面図である。
【図１４】本発明の実施形態に係る組立容器の全体構成を示す側面図である。
【図１５】本発明の実施形態に係る組立容器の全体構成を示す斜視図である。
【図１６】本発明の実施形態に係る組立容器の全体構成を示す断面図である。
【図１７】本発明の実施形態に係る組立容器の全体構成を示す斜視図である。
【図１８】本発明の実施形態に係る組立容器の全体構成を示す斜視図である。
【図１９】本発明の実施形態に係る連結具の全体構成を示す側面図である。
【図２０】本発明の実施形態に係る連結具の全体構成を示す斜視図である。
【図２１】本発明の実施形態に係る連結具の全体構成を示す斜視図である。
【図２２】本発明の実施形態に係る連結具の全体構成を示す斜視図である。
【図２３】本発明の実施形態に係る連結具の全体構成を示す斜視図である。
【図２４】本発明の実施形態に係る連結補助材の全体構成を示す側面図である。
【図２５】本発明の実施形態に係る連結補助材の全体構成を示す斜視図である。
【図２６】本発明の実施形態に係る連結補助材の全体構成を示す正面図である。
【図２７】本発明の実施形態に係る連結補助材の全体構成を示す斜視図である。
【図２８】本発明の実施形態に係る連結補助材の全体構成を示す斜視図である。
【図２９】本発明の実施形態に係る連結補助材の全体構成を示す斜視図である。
【図３０】本発明の実施形態に係る連結容器の全体構成を示す断面図である。
【図３１】本発明の実施形態に係る補助部材の全体構成を示す正面図である。
【図３２】本発明の実施形態に係る補助部材の全体構成を示す斜視図である。
【図３３】本発明の実施形態に係る補助部材の全体構成を示す正面図である。
【図３４】本発明の実施形態に係る補助部材の全体構成を示す正面図である。
【発明を実施するための形態】
【００１９】  （実施の形態１）  以下本発明の組立容器１００について説明する。図１、図２は、本発明の実施形態に係る組立容器を組立てる場合の全体構成を示す図面である。図３から図６は、本発明の実施形態に係る組立容器セットの全体構成を示す図面である。図７から図１８は、本発明の実施形態に係る組立容器の全体構成を示す図面である。図１９から図２３は、本発明の実施形態に係る連結具の全体構成を示す図面である。図２４から図２９は、本発明の実施形態に係る連結補助材の全体構成を示す図面である。図３０は、本発明の実施形態に係る連結容器の全体構成を示す断面図である。図３１から図３４は本発明の実施形態に係る補助部材の全体構成を示す図面である。ただし、本発明に直接には関係しない各部の詳細は省略している。
【００２０】  本発明の組立容器１００は、図１に示すように組合せが可能な容器である。容器本体１１０には連結部を備える。容器本体に備えた凹部に嵌合部を設け、嵌合部同士を嵌合することで、容器本体同士が連結する。容器本体の凹部１２０は、円形状にくり抜いたように形成してもよい。容器の凹部１２０に凸部を挿入することで、凹凸同士が摩擦により嵌合する。
【００２１】  本発明では、図２に示すように、円形状に形成した凹部１２０底面を更に半球状にくり抜いたように形成することで、底面を丸めた状態の凹部１２０を形成する。上記のように底面を更に半球状にくり抜くことで、後述の連結部材の引っ掛かりをなくし、容器本体１１０同士が滑らかに接続する。底面を丸めた状態の凹部１２０同士が図３，４に示すように連結部材２００で連結される。図４は、液体を注入した状態で連結した図である。なお、連結具は連結容器の凹部１２０内に挿入されるため外からは視認できない。上記のように容器本体１１０同士を連結することで、図５，６に示すように連結容器１００が連結する。中身を詰めた連結容器１００をこのように連結して展示することで、販売が促進される。連結する容器の形状を工夫することで、人形や、動物を模した形状の連結容器セット５００として販売することが可能である。更に、使い終わった容器が同様に連結可能であれば、ユーザが使い終わった容器を再利用することが増え、容器の違法投棄が少なくなる。
【００２２】  容器本体１１０同士が連結可能であれば、その形状は問わない。例えば、図７，図８に示すような球状の容器や、ボックス形状の容器、スティック型の容器が考えられる。容器本体１１０の形成方法は公知の技術が用いられる。すなわち、高分子樹脂を射出成型することにより、希望する形状の容器本体１１０を形成することが可能となる。容器本体１１０には、一以上の凹部１２０が設けられる。上記凹部１２０内に嵌合部を設ける。そして、容器本体１１０の嵌合部同士が連結具２００により取り外し可能に連結される。
【００２３】  例えば、図７は球状の容器本体１１０に、複数の凹部１２０を形成した組立容器１００である。上記組立容器１００は一つの容器飲み口１３０（飲み口としてではなく、組立用に収容される物品の入口として利用しても構わない。以下同じ）を備えている。容器飲み口１３０は複数備えてもよい。例えば、図８は、円筒状の容器本体１１０に飲み口１３０を設けた組立容器１００である。図９は、三角柱を水平に切断した形状の容器本体１１０に凹部を設けた組立容器１００である。飲み口１３０と凹部１２０を矩形状の三側面に設けている。図１０は、三角柱の容器本体１１０であり、断面三角形状の上下面を持つ。飲み口１３０は、三角形状の上面に備えられ、凹部１２０は側面に備えられる。図１１は立方体の容器本体１１０に凹部１２０と飲み口１３０を設けた組立容器１００である。立方体の他多角形状も形成できる。例えば、図１２は、断面6角形状の上下面を持つ容器本体１１０に凹部１２０と飲み口１３０を設けた組立容器１００である。図１３は、長方形の一つの角を丸めた形状の側面を持つ容器本体１１０に、飲み口１３０と凹部１２０を設けた組立容器である。凹部１２０は底部に設けられている。図１４は、長方形状の上部と下部を丸めた形状の断面を持つ容器本体１１０を示している。図１５に示すように、一方の上部と他方の下部が連結可能なように、上部下部が丸められている。飲み口１３０は上部に、凹部１２０は底面に設けられている。図１６は、蛇腹状の側面を持つ容器本体１１０に飲み口１３０と凹部１２０を設けた組立容器１００である。凹部１２０は底面に設けられている。図１７に示すように、上下に組合せることが可能である。その他、図１８には、矩形の凹部１２０を形成した組立容器１００を示している。球状の容器本体１１０だけでなく、様々な形状の容器本体１１０に矩形の凹部を形成することが可能である。
【００２４】  次に、上記容器本体１１０同士を連結する連結具２００を説明する。上記組立容器１００同士は連結具２００で連結される。上述のように、底面を丸めた状態の凹部１２０同士が図３，４に示すように連結部材２００で連結される。なお、連結具は連結容器の凹部１２０内に挿入されるため外からは視認できない。凹部に直接容器本体の凸部を嵌合してもよい。その場合連結部は凹部と凸部間の摩擦になる。本発明では、組立容器１００に備えた凹部１２０には嵌合部として、ネジ２１０やはめ込み式の留め具が設けられる。連結具２００により、上記嵌合部同士を連結することで、組立容器１００同士が連結する。図１９は、本発明の連結具２００の一例を示している。上記嵌合部同士がネジの場合、上記ネジに嵌合するネジ部２１０が連結具２００の両端に切られている。図２０は、中央部に鍔部２２０を設けた連結具２００である。上記嵌合部同士がネジの場合、上記ネジに嵌合するネジ部２１０が連結具２００の両端に切られている。
【００２５】  嵌めこみ式の嵌合部を形成することもできる。例えば、図２１は、上記連結具２００に備える嵌合穴２３０を示している。そして、上記嵌合部に、上記組立容器１００を連結するための複数の突起物を備える。従って、上記連結具２００に備えた嵌合穴２３０に該突起物を挿入することで組立容器１００同士が組み合わされる。逆に、上記連結具２００に、上記組立容器１００を連結するための複数の突起物を備えてもよい。そして、嵌合部として、上記突起物を挿入するための嵌合穴を設ける。従って、組立容器１００の凹部に設けた嵌合穴に上記連結具に備えた突起物を挿入することで組立容器同士が組み合わされる。
【００２６】  本実施例では、上記連結具２００が、容器として使用することが出来る。従って容器本体１１０に設けた凹部１２０と嵌合する凸部を備えた連結具２００内部にも物品を収容することが可能な連結容器である。例えば、図２２には、組立容器１００の凹部に設けたネジ部に嵌合するネジ部２１０を両端に設けた連結具２００を示している。上記連結具２００は容器としての物品の入口（飲み口１３０）を上部に備えている。図２３は、組立容器１００の凹部に設けた嵌合部が凸溝であり、連結具２００に凹溝２１１を備えた場合を示している。上記凸溝と凹溝２１１が互いに嵌合することで、組立容器１００が連結する。若しくは、組立容器の凹部に設けた嵌合部が凹溝であり、連結具に凸溝を備えていてもよい。上記凸溝と凹溝が互いに嵌合することで、組立容器が連結する。上記連結具は容器としての物品の入口を上部に備えている。
【００２７】  組立容器の凹部に備えた嵌合部の形状と連結具の形状同士が嵌合しない場合には連結補助材３００を使用して上記組立容器１００と連結具２００を嵌合する。すなわち、上記連結補助材３００の一端は、組立容器の凹部１２０に備えたネジ部を用いた嵌合構造や、突起物と嵌合穴を用いた嵌合構造や、凹凸溝を用いた嵌合構造に嵌合対応する形状を備えている。そして、上記連結補助材３００の他端は、上記連結具２００の嵌合部の形状に嵌合対応する形状を備えている。従って、組立容器１００の嵌合部と連結具の嵌合部が嵌合しない場合であっても、上記連結補助材３００を用いることで、組立容器１００と連結具２００が嵌合することになる。連結具２００を介して上記組立容器１００同士が連結する。もちろん、組立容器１００同士を連結する際には、一方の組立容器１００の凹部の嵌合構造に嵌合対応する形状と、他方の組立容器の嵌合構造に嵌合対応する形状を備えた連結補助材３００により、組立容器１００同士を直接嵌合連結することが出来る。
【００２８】  例えば、一方の組立容器と他方の組立容器の大きさが異なる場合、図２４に示す連結補助材を使用して量組立容器を連結する。図２４は連結補助材の一例であり、形状の大きい容器と形状の小さい容器を連結する。裏面はネジ部２１０であり、形状の大きい連結補助材をネジ止めする。そして、上面に備えた凸部には形状の小さい容器をネジ止めするネジ部２１０が切られている。若しくは裏面には、突起物と嵌合穴を用いた嵌合構造や、凹凸溝を用いた嵌合構造に嵌合対応する形状を備えている。
【００２９】  図２５は連結補助材の一例であり、形状の大きい容器と形状の小さい容器を連結する。裏面はネジ部２１０であり、形状の大きい連結補助材をネジ止めする。そしえ、上面に備えた凸部には、凹凸溝を用いた嵌合構造に嵌合対応する形状２１１を備えている。若しくは裏面には、突起物と嵌合穴を用いた嵌合構造や、凹凸溝を用いた嵌合構造に嵌合対応する形状を備えている。
【００３０】  例えば、図２６は、連結補助材３００の一例を示している。上記連結補助材３００の一端外側には、突起物と嵌合穴を用いた嵌合構造の内の突起物２５０を有している。そして連結補助材３００の他端内側には、ネジ部２１０を有している。組立容器１００の嵌合部が、突起物と嵌合穴を用いた嵌合構造であり、連結具の嵌合部がネジを用いた嵌合構造である場合、上記連結補助材３００を使用することにより、組立容器１００と連結具２００が連結される。若しくは、組立容器１００の嵌合部がネジを用いた嵌合構造、であり、連結具の嵌合部が突起物と嵌合穴を用いた嵌合構造である場合、上記連結補助材３００を使用することにより、組立容器１００と連結具２００が連結される。
【００３１】  図２７は、連結補助材３００の一例を示している。上記連結補助材３００の一端外側には、突起物と嵌合穴を用いた嵌合構造の内の嵌合穴２３０を有している。そして連結補助材３００の他端内側には、ネジ部２１０を有している。組立容器１００の嵌合構造が、突起物と嵌合穴を用いた嵌合構造であり、連結具の嵌合部がネジを用いた嵌合構造である場合、上記連結補助材３００を使用することにより、組立容器１００と連結具２００が連結される。若しくは、組立容器１００の嵌合構造がネジを用いた嵌合構造、であり、連結具２００の嵌合部が突起物と嵌合穴を用いた嵌合構造である場合、上記連結補助材３００を使用することにより、組立容器１００と連結具２００が連結する。
【００３２】  図２８は、連結補助材３００の一例を示している。上記連結補助材３００の一端外側には、突起物と嵌合穴を用いた嵌合構造の内の突起物２５０を有している。そして連結補助材３００の他端外側には、ネジ部２１０を有している。一方の組立容器の嵌合部が、突起物と嵌合穴を用いた嵌合構造であり、他方の組立容器の嵌合部がネジを用いた嵌合構造である場合、上記連結補助材３００を使用することにより、両組立容器１００同士が連結する。
【００３３】  図２９は、連結補助材の一例を示している。上記連結補助材の一端内側には、突起物と嵌合穴を用いた嵌合構造の内の突起物を有している。そして連結補助材の他端外側には、ネジ部を有している。一方の組立容器の嵌合部が、突起物と嵌合穴を用いた嵌合構造であり、他方の組立容器の嵌合部がネジを用いた嵌合構造である場合、上記連結補助材を使用することにより、両組立容器同士が連結する。
【００３４】  組立容器内を照らすためのＬＥＤ（Ｌｉｇｈｔ  Ｅｍｉｔｔｉｎｇ  Ｄｉｏｄｅ）を例とする照明具を容器凹部に配置することもできる。例えば、図３０に示すように、組立容器１００の凹部にＬＥＤ１８０を配置する。ＬＥＤ１８０は、容器１００内部を照らすことが可能な位置に配置される。若しくは、ＬＥＤ１８０を備えた連結補助材３００を連結することで、組立容器１００内を照らすことができる。
【００３５】  上記連結具２００、連結補助材３００、若しくは蓋部材４１０のような補助部材４００にフックの様な係止部材を設けることで、組立容器１００を壁や天井に吊り下げることが出来る。例えば、図３１に示すように、蓋部材４１０の上部に吸盤４２０を取り付ける。上記吸盤付蓋部を用いることで、組立容器１００を壁や天井に吊り下げることが可能となる。図３２は、組立容器１００の凹部の嵌合部に嵌合する嵌合部にフック４３０を付けた補助部材である。上記フック付補助部材を用いることで、組立容器を壁や天井に吊り下げることが可能となる。図３３は、組立容器の凹部の嵌合部に嵌合する嵌合部にリング４４０を付けた補助部材４００である。上記リング４４０部分を紐等で吊り下げることで、組立容器１００を壁や天井に吊り下げることが可能となる。図３４は、組立容器１００の凹部の嵌合部に嵌合する嵌合部に孔を形成した部材４５０を付けた補助材部材４００である。上記孔部分を紐等で吊り下げることで、組立容器１００を壁や天井に吊り下げることが可能となる。
【００３６】  組立容器の凹部に他の容器を連結する際、上記凹部と他の組立容器が押し込まれることにより、容器の連結部分に貫通孔を形成し、容器内部の注入物が混ざりあうように上記凹部を形成してもよい。
【００３７】  さらに、組立容器１００の強度を増す補強材を上記組立容器に付け加えることで組立容器１００の強度を増すことが出来る。これにより、組立容器１００が、建築資材または、家具資材として利用可能となる。例えば、パイプのような部材と上記組立容器を組み合わせることが出来る。
【００３８】  上記連結具２００を建築資材または家具資材に組み合わせることもできる。これにより、上記組立容器が、建築資材または家具資材として組み合わせることもできる。例えば、パイプのような部材と組み合わせ容器を組み合わせることが出来る。
【００３９】  容器本体１１０の内部を固めた状態で容器本体１１０同士を連結することが出来る。このようにすることで、容器本体１１０同士が更に強固に連結することが出来る。例えば、容器本体１１０内に粉体や固形物、鉄等の枠体を挿入することで容器本体１１０の強度を増すことが出来る。
【００４０】  容器本体をスティック状にすることにより、リングに上記スティックを挿入することで、スティック状容器本体同士が連結することができる。
【００４１】  磁石により上記容器本体１１０を連結することができる。例えば、上記容器本体の側面の凹部に磁石を配置し、側面の凹部同士が連結する。若しくは、上記貫通孔に備えた磁石により凹部と、貫通孔が連結することが出来る。上記のように組み合わせることで、組立容器セットとして販売等することが可能である。上記のように容器本体同士が連結することにより、上記容器本体の使用後には装飾具として使用できる。ユーザの希望するように上記容器本体同士を連結することが出来るので、装飾具として使用したいユーザは、本発明の容器本体１１０（飲料容器）をそのまま捨てることはせずに、持ち帰りたいと思うであろう。更に多くの容器を装飾具に使用するために、容器のごみ箱のような回収容器から、容器本体１１０を取り出すことになる。このようにして、容器本体１１０をそのまま捨てられることを未然に防止できる。（実施の形態２）  上記実施の形態１では、容器本体１１０の連結方法を説明した。本実施例では、ＷＥＢ上の仮想空間を用いた上記容器本体１１０の連結方法を説明する。予め組立容器１００の情報（３Ｄでも２Ｄでもよい）、上記組立容器１００を組立てる際に必要な情報を登録しておく。例えば、組立容器１００の凹部の形状や連結具２００の凸部の形状、さらに、どの連結具２００がどの容器本体１１０と連結するかの情報が登録される。そして、利用者の仮想空間表示端末が、仮想空間制御装置に接続する。端末上には利用者の指定する視点位置から見た仮想空間の組立装飾容器の映像を表示する。このようにして、上記組立容器１００の情報に基づいて、上記容器本体１１０の連結が仮想空間上で実行可能となる。利用者が、該組立容器１００の組み立てを仮想空間内で行うことが可能な組立容器操作装置が構成できる。なお、仮想空間での操作に必要なソフトや装置は公知の技術を使用する。上記組立容器１００の情報、連結具２００の情報、及び、上記組立容器１００を組み立てる際に必要な情報を利用者に提供する事で、該利用者が該組立容器の組立を仮想空間内でおこなうことが可能な組立容器操作装置が構成できる。さらに、上記組立可能容器操作装置を複数備えて、異業種または、同業種間で上記組立容器１００、及び連結具２００の情報を共有することで、上記組立容器１００の組立を仮想空間内でおこなうことが可能なＷＥＢシステムを構成することが出来る。
【産業上の利用可能性】
【００４２】  本発明は、互いに嵌合連結可能な組立容器である。上記組立容器は、容器外面に設けられる、上記容器同士を連結するための少なくとも一以上の凹部を有する。そして、上記凹部内に嵌合部を設け、上記凹部内の嵌合部同士が、取り外し自在に連結する連結具により組立容器を互いに連結する。連結具が組立容器の嵌合部に嵌合連結することで、組立容器同士が連結する。上記組立容器を連結する連結具は、組立容器外面に設けられる凹部同士を連結するための凸部を備える。そして、上記凸部により、上記凹部内に設けられる嵌合部同士を取り外し自在に連結できる。従って、その産業上の利用可能性は大きい。
【符号の説明】
【００４３】    １００    組立容器    １１０    容器本体    １２０    凹部    １３０    飲み口、収納物入口    １２０    蓋体    １８０    ＬＥＤ    ２００    連結具    ２１０    ネジ部    ２２０    鍔部    ２３０    嵌合穴    ３００    連結補助材    ４００    補助部材
【図１】
2015151406.tif 000003
【図２】
2015151406.tif 000004
【図３】
2015151406.tif 000005
【図４】
2015151406.tif 000006
【図５】
2015151406.tif 000007
【図６】
2015151406.tif 000008
【図７】
2015151406.tif 000009
【図８】
2015151406.tif 000010
【図９】
2015151406.tif 000011
【図１０】
2015151406.tif 000012
【図１１】
2015151406.tif 000013
【図１２】
2015151406.tif 000014
【図１３】
2015151406.tif 000015
【図１４】
2015151406.tif 000016
【図１５】
2015151406.tif 000017
【図１６】
2015151406.tif 000018
【図１７】
2015151406.tif 000019
【図１８】
2015151406.tif 000020
【図１９】
2015151406.tif 000021
【図２０】
2015151406.tif 000022
【図２１】
2015151406.tif 000023
【図２２】
2015151406.tif 000024
【図２３】
2015151406.tif 000025
【図２４】
2015151406.tif 000026
【図２５】
2015151406.tif 000027
【図２６】
2015151406.tif 000028
【図２７】
2015151406.tif 000029
【図２８】
2015151406.tif 000030
【図２９】
2015151406.tif 000031
【図３０】
2015151406.tif 000032
【図３１】
2015151406.tif 000033
【図３２】
2015151406.tif 000034
【図３３】
2015151406.tif 000035
【図３４】
2015151406.tif 000036
【国際調査報告】
2015151406.tif 000037
2015151406.tif 000038
2015151406.tif 000039
2015151406.tif 000040
2015151406.tif 000041
2015151406.tif 000042